(57)【要約】【課題】自動的に空調試運転とフィルタ自動清掃装置の試運転を並行して実行し、試運転時間を短縮して、据付時の作業時間を短縮できる空気調和機を提供する。【解決手段】本空気調和機は、据付時などに空気調和機の空調運転の動作確認を行う空気調和機の試運転モードと、フィルタ自動清掃装置の動作確認を行うフィルタ自動清掃装置の試運転モードとを備え、空気調和機の試運転モードとフィルタ自動清掃装置の試運転モードとを同時に実行させる制御手段を備える。【選択図】  図１
2008128614.tif 000002
【特許請求の範囲】
【請求項１】
フィルタ自動清掃装置を備えた空気調和機において、据付時などに空気調和機の空調運転の動作確認を行う空気調和機の試運転モードと、フィルタ自動清掃装置の動作確認を行うフィルタ自動清掃装置の試運転モードとを備え、空気調和機の試運転モードとフィルタ自動清掃装置の試運転モードとを並行して実行させる制御手段を備えたことを特徴とする空気調和機。
【請求項２】
前記フィルタ自動清掃運転の試運転モードの動作中は、空調運転の室内ファンの回転数を低速運転に制御することを特徴とする請求項１に記載の空気調和機。
【請求項３】
前記フィルタ自動清掃運転の試運転モードの動作中は、圧縮機の回転数を低速運転に制御することを特徴とする請求項１に記載の空気調和機。
【請求項４】
前記空気調和機は、最初の電源投入時、自動的に試運転モードに設定されることを特徴とする請求項１ないし３のいずれか１項に記載の空気調和機。
【請求項５】
前記空気調和機の室内機に設けた制御手段にバッテリを接続するとともに、所定時間室内機の試運転の有無のデータを記憶しているバックアップ機能を備え、前記室内機に所定期間電源供給がなされなかった場合は、記憶した試運転有無のデータを消滅させ、この状態での電源投入時、試運転モードに設定されることを特徴とする請求項１ないし４のいずれか１項に記載の空気調和機。
【請求項６】
前記空気調和機の室内機は、制御手段にＥＥＰＲＯＭを搭載し、最初の電源投入時のみ自動で試運転モードに設定され、それ以後は、試運転モード有を記憶し、次回以降の電源投入時は、自動による試運転モードを実行しないように制御されることを特徴とする請求項１ないし４のいずれか１項に記載の空気調和機。
【発明の詳細な説明】
【技術分野】
【０００１】
本発明は空気調和機に係り、特にフィルタ自動清掃装置の試運転モードの実行順序を改良した空気調和機に関する。
【背景技術】
【０００２】
一般に空気調和機は、空気調和機の据付時や点検時に、空気調和機の冷房運転、暖房運転等が正常に動作するかを短時間で確認するための試運転モードを備える（例えば、特許文献１参照）。
【０００３】
この特許文献１に記載のような従来の空気調和機は、冷房運転、暖房運転、送風運転などの運転モードを所定時間で順次実行する構成であり、空気調和機の据付時あるいは、サービスマンの点検時に実行される。
【０００４】
近年、空気調和機には、フィルタの清掃を自動で実行するフィルタ自動清掃装置を備えたものが実用化されているが、このフィルタ清掃装置の動作が正常に実行されるかを確認する必要があるため、新たに、フィルタ清掃装置の試運転モードを設定し、動作確認を行っている。
【０００５】
しかしながら、フィルタ自動清掃装置のような、空調機能とは別個の、付加機能に関する試運転は、従来は通常実施される空調試運転の終了後に、フィルタ清掃装置の試運転スイッチなどを操作して行われているが、その分据付に要する時間がフィルタ自動清掃装置の装着されていない従来の製品に比べて長くなるので、夏場など空気調和機の需要の多い時期では、一日当たりの据付可能な台数が減じることとなり、また、工事作業者が、この試運転の実行を省略してしまうといった問題点が生じることとなるため、この据付後の試運転による動作確認を短時間で実施できる空気調和機が要望されていた。
【特許文献１】特開平３−２６３５３８号公報
【発明の開示】
【発明が解決しようとする課題】
【０００６】
本発明は上述した事情を考慮してなされたもので、空調試運転とフィルタ自動清掃装置の試運転を並行して実行し、据付時などにおける試運転を確実に実行でき、試運転時間を短縮して、据付時の作業時間を短縮できる空気調和機を提供することを目的とする。
【課題を解決するための手段】
【０００７】
上述した目的を達成するため、本発明に係る空気調和機は、フィルタ自動清掃機能を備えた空気調和機において、据付時などに空気調和機の空調運転の動作確認を行う空気調和機の試運転モードと、フィルタ自動清掃装置の動作確認を行うフィルタ自動清掃装置の試運転モードとを備え、空気調和機の試運転モードとフィルタ自動清掃装置の試運転モードとを同時に実行させる制御手段を備えたことを特徴とする。
【発明の効果】
【０００８】
本発明に係る空気調和機によれば、自動的に空調試運転とフィルタ自動清掃装置の試運転を並行して実行し、試運転時間を短縮して、据付時の作業時間を短縮できる空気調和機を提供することができる。
【発明を実施するための最良の形態】
【０００９】
本発明の一実施形態に係る空気調和機について添付図面を参照して説明する。
【００１０】
図１は本発明の一実施形態に係る空気調和機の室内機の概念図、図２はそのフィルタ自動清掃装置を示す概念図である。なお、符号を付さない部材は図示しない。
【００１１】
図１及び図２に示すように、本実施形態のフィルタ自動清掃機能を備えた空気調和機１は、室内機２、リモコン３及び室外機４を備える。
【００１２】
室内機２は、前面部に前面吸込口１１ａ、上面部に上面吸込口１１ｂ、下部に吹出口１１ｃが開口される本体１１を備え、さらに、コンセントｃに接続されるプラグ２ａを備えた電源コード２ｂが設けられる。
【００１３】
この本体１１内には、前面吸込口１１ａおよび上面吸込口１１ｂと吹出口１１ｃを結ぶ送風路中に、室内熱交換器１２と、この室内熱交換１２の送風路後方に配された室内ファンと、室内熱交換器１２の送風路前方に配されたフィルタ自動清掃装置１３とが設けられる。
【００１４】
図３に示すように、フィルタ自動清掃装置１３は、フィルタ自動清掃機能を実現させるもので、室内熱交換器１２の前方に配されるフィルタ１４と、このフィルタ１４を室内熱交換器１２に沿って昇降移動させるフィルタ移動機構１５と、フィルタ１４に付着した埃を除去し、埃溜１６ａを備えたブラシ１６と、このブラシ１６を回転させるブラシ回転機構１７から構成される。埃溜１６ａは排気装置に連通する。
【００１５】
フィルタ１４は、室内熱交換器１２に沿って昇降移動し、前面吸込口１１ａに対向する前面フィルタ１４ａと、室内熱交換器１２に沿って昇降移動し、上面吸込口１１ｂに対向する上面フィルタ１４ｂからなり、前面フィルタ１４ａを昇降させる前面フィルタ移動機構１５ａは、前面フィルタ１４ａに設けたラック１５ａ１と、このラック１５ａ１に噛合するピニオン１５ａ２と、このピニオン１５ａ２を回転させるモータ１５ａ３から構成され、同様に上面フィルタ移動機構１５ｂは、上面フィルタ１４ｂに設けたラック１５ｂ１と、このラック１５ｂ１に噛合するピニオン１５ｂ２と、このピニオン１５ｂ２を回転させるモータ１５ｂ３から構成される。
【００１６】
従って、フィルタ自動清掃装置１３は次のようなフィルタ自動清掃機能を備え、フィルタ自動清掃運転及びその試運転を行う。
【００１７】
例えば、埃除去時、前面フィルタ移動機構１５ａの駆動により、前面フィルタ１４ａは昇降され、回転するブラシ１５に当接されて、除埃され、さらに、上昇され、図中点線で示すように、設置位置（使用状態）にある上面フィルタ１４ｂの前面に達する。その後、前面フィルタ１４ａは下降され、設置位置に戻る。
【００１８】
一方、前面フィルタ移動機構１５ａの駆動により、設置位置にある上面フィルタ１４ｂは、降下され、回転するブラシ１５に当接されて、除埃され、さらに、降下され、図中点線で示すように、設置位置にある前面フィルタ１４ａの前面に達する。その後、上面フィルタ１４ｂは上昇され、設置位置に戻る。
【００１９】
このように、フィルタ自動清掃運転による除埃後、前面フィルタ１４ａは前面吸込口１１ａに対向する使用時の位置に、上面フィルタ１４ｂは上面吸込口１１ｂに対向する使用時の位置にそれぞれ戻る。
【００２０】
図１及び図４に示すように、室内機２には、空気調和機全体及び室内機２内の制御対象要素２１を制御する制御手段としての制御回路２２が内装され、この制御回路２２は制御回路用ＭＰＵ２２ａを備え、制御回路２２はリモコン３からの指令信号を受信する。
【００２１】
制御回路２２は室内機運転指令信号発生機能、演算機能（温度演算）、圧縮機再起動３分遅延機能、室内ファン起動補償機能、タイマー機能、フィルタ自動運転清掃制御などを行い、室内ファンモータ２１ａを含む室内機制御対象要素２１の制御を実行する。
【００２２】
従って、制御回路２２により、冷房運転、暖房運転、送風運転などの運転モード、フィルタ自動清掃装置１３の運転モード及びこれらの試運転モードを実行する。
【００２３】
制御回路用ＭＰＵ２２ａのＲＡＭにはフィルタ自動運転が行われた場合の「有」が記憶される。また、ＲＡＭには、充電バッテリ２３ａを備えたバックアップ回路２３を介して接続された電源回路から制御信号が入力される。
【００２４】
例えば、空気調和機１の据付時、充電バッテリ２３ａが放電状態にあり、ＲＡＭに「有」が記憶されておらず、制御回路２２により試運転要と判定され、空気調和機１の試運転モードが設定される。従って、電源が投入され運転を開始させると、自動的に空調運転の試運転と、フィルタ清掃装置の試運転が実行される。
【００２５】
電源の投入により、充電バッテリ２３ａに充電され、ＲＡＭに制御信号が入力され、ＲＡＭが「有」を記憶する。
【００２６】
リモコン３は、空気調和機１の運転／停止、運転条件選択を行い、その指令信号を室内機２に送信するもので、室外機４は空気調和機全体を制御する制御回路２２に接続された室外機用ＭＰＵ４１を備え、室外機のインバータ出力周波数制御、圧縮機再起動制御、除霜運転機能、外気温推定などを行ない、圧縮機４２ａを含む室外機制御対象要素４２の制御を実行する。
【００２７】
次に空気調和機の試運転モード及びフィルタ自動清掃装置の試運転モードの実行について説明する。
【００２８】
図１に示すように、工場出荷後の据付時、プラグ２ａはコンセントｃに挿入されておらず、電源投入はない。この状態では、充電バッテリ２３ａが放電状態にあり、ＲＡＭは「有」を記憶していない。
【００２９】
このため、空気調和機の据付完了後、プラグ２ａがコンセントｃに挿入されて、電源が投入されると、試運転要と判定され、予めＲＯＭに記憶された試運転プログラムにより、自動的に空調運転の試運転と、フィルタ清掃装置の試運転が並行して実行される。
【００３０】
これにより、短時間で、据付及び冷凍サイクル配管の接続などが正常に行なわれたかの確認ができる。
【００３１】
空調試運転の動作は、例えば、送風運転、冷房運転、暖房運転、ルーバーの運転等が、所定の時間内で順次実行される（例えば２０〜３０分程度）。この空調試運転時、異常が発見されれば、本体１１の表示部あるいはリモコンにその状態が表示される。
【００３２】
なお、空調試運転は、上記のモードに限られるものではなく、簡易的なものでも良い。即ち、空気調和機の据付時における不具合の発生要因は、冷凍サイクルの配管接続と電気配線が確実に行なわれたかである。従って、空調運転を、冷房又は暖房運転のみ実施することで、配管、配線の接続などが正常であるかを確認するようにしたものでも良い。
【００３３】
一方、フィルタ清掃装置の試運転は、両フィルタ１４ａ、１４ｂの昇降動作、ブラシ１６の回転動作、排気装置の運転動作の確認が実施される。この試運転モードは、まだフィルタに埃が付着しておらず、単にフィルタの移動動作及びブラシの回転動作や排気装置の運転が正常に行われるかなどを確認するものであるため、通常時のフィルタ清掃装置の運転時より、フィルタの移動速度を速めると共に、排気装置の運転時間を短縮するなどにより、通常の清掃時間より短時間で終了するように設定され、所要時間は５分程度である。
【００３４】
図３に示すように、両フィルタ１４ａ、１４ｂの昇降動作の確認は次のようにして行う。例えば、前面フィルタ１４ａの昇降及び上面フィルタ１４ｂの前面への到達、これとは逆に上面フィルタ１４ｂの降昇及び前面フィルタ１４ａの前面への到達を確認する。このようなフィルタ清掃装置試運転時、両フィルタ１４ａ、１４ｂが昇降移動するため、吸込側前面は空気の流れの抵抗が大きく変動する。すなわち、前面フィルタ１４ａが上面フィルタ１４ｂ側に移動すると、上面側の空気抵抗が増大し、風の流れが著しく抑制され、前面側の空気抵抗が減少して、風の流れが増加し、上面フィルタ１４ｂが前面フィルタ１４ａ側に移動すると、前面側の空気抵抗が増大し、風の流れが著しく抑制され、上面側の空気抵抗が減少し、風の流れが増加する。
【００３５】
従って、フィルタ自動清掃試運転時、冷房試運転を通常の能力及び送風量で行った場合、熱交換器の冷却作用と、この熱交換器を通過する風量のばらつきにより、送風路内に過冷却状態の部分が発生し、結露の原因となる。従って、フィルタ自動清掃試運転時は、圧縮機４２ａの運転能力を下げ、かつ室内ファン２１ａの風量を下げ、熱交換器での冷却能力を低減させることで、結露の発生を防ぐ。
【００３６】
このため、フィルタ自動清掃運転の試運転モードの動作中は、制御回路２２からの指令により、圧縮機４２ａの回転数を低速運転にする。
【００３７】
また、フィルタ自動清掃運転の試運転モードの動作中は、制御回路２２からの指令により、空調運転の室内ファン２１ａの回転数を低速運転にする。
【００３８】
これにより、フィルタ１４の移動動作や埃排出動作時に、送風による風圧が影響を及ぼすことなく、動作確認を行うことができる。
【００３９】
このように電源が投入され試運転が継続されると、充電バッテリ２３ａが充電され、ＲＡＭに入力され、ＲＡＭは試運転「有」を記憶する。
【００４０】
充電バッテリ２３ａの充電後、短期間通電が途絶えたとしても、充電バッテリ２３ａから制御回路２２のＲＡＭへの通電が行われており、試運転「有」の記憶が保持される。従って、電源プラグ２のコンセントｃへの挿入後は、空気調和機の短時間の停電などでは、電源復帰時、再度試運転モードを実行することはない。
【００４１】
これに対して、例えば１０日以上の長期間、電源プラグ２ａをコンセントｃから外した状態でいると、充電バッテリ２３ａの電圧が低下し、制御回路２２のＲＡＭへの入力が行われず、ＲＡＭは試運転「有」の記憶が消滅し、制御回路２２が初期状態にリセットされる。このため、再度電源投入時、ＲＡＭが試運転「有」の記憶を有しないため、自動的に試運転モードが設定される。
【００４２】
本実施形態の空気調和機によれば、据付時、空気調和機の空調運転が正常に行われることを確認するために、予め設定された運転プログラムにより、空調試運転とフィルタ自動清掃装置の試運転を並行して実行させることで、試運転に要する試運転時間を短縮し、据付時の作業時間の短縮が実現する。
【００４３】
また、本発明の他の実施形態に係る空気調和機について説明する。
【００４４】
上記実施形態が短期間内にフィルタ自動運転が行われたか否かの記憶を充電バッテリとＲＡＭにより行うのに対して、本実施形態はＥＥＰＲＯＭを用いる。
【００４５】
例えば、図５及び図６に示すように、室内機２は制御回路２２にＥＥＰＲＯＭ２４を備え、試運転モード「無」（“０”）を記憶し、最初の電源投入時のみ、自動で試運転モードに設定され、それ以後は、試運転モード「有」（“１”）を記憶し、次回以降の電源投入時は、自動による試運転モードを実行しないように制御される。
【００４６】
これにより、夏場から冬場など、長期間にわたり運転を休止していた場合には、試運転を行わずに、通常運転を開始するため、使用者が再度空気調和機を運転しようとした場合、不必要に試運転モードになることがなく、異常と誤認することがない。また、サービスマンが点検した後に試運転を行いたい場合は、別途試運転スイッチを用い手動で試運転モードに変更することで、試運転モードでの運転が可能となる。
【００４７】
なお、試運転モードの実行は、上記手段に限られるものではなく、リモコンあるいは空気調和機本体に設置した試運転スイッチなどにより、据付時において、空調試運転モードのみ、あるいはフィルタ自動清掃装置の試運転のみを実行させることが出来るものでも良い。この場合にも、双方を同時に操作して、空調試運転モードと、フィルタ自動清掃装置の試運転を並行して実施させることが可能である。
【図面の簡単な説明】
【００４８】
【図１】本発明の一実施形態に係る空気調和機の室内機の概念図。
【図２】本発明の一実施形態に係る空気調和機のフィルタ自動清掃装置を示した室内機の概念図。
【図３】本発明の一実施形態に係る空気調和機の室内機の運転制御図。
【図４】本発明の一実施形態に係る空気調和機の室内機のフィルタ自動清掃装置の概念図。
【図５】本発明の他の実施形態に係る空気調和機の室内機の概念図。
【図６】本発明の他の実施形態に係る空気調和機の室内機のフィルタ自動清掃装置を示す概念図。
【符号の説明】
【００４９】
１…空気調和機、２…室内機、２ａ…プラグ、３…リモコン、４…室外機、１１…本体、１１ａ…前面吸込口、１１ｂ…上面吸込口、１１ｃ…吹出口、１２…室内熱交換器、１３…フィルタ自動清掃装置、１４…フィルタ、１４ａ…前面フィルタ、１４ｂ…上面フィルタ、１５…フィルタ移動機構、１５ａ…前面フィルタ移動機構、１５ｂ…上面フィルタ移動機構、１６…ブラシ、２１…室内機制御対象要素、２１ａ…室内ファンモータ、２２…制御回路、２２ａ…制御回路用ＭＣＰ、２３…バックアップ回路、２３ａ…充電バッテリ、４１…室外機用ＭＰＵ、４２…室外機制御対象要素、４２ａ…圧縮機。
【図１】
2008128614.tif 000003
【図２】
2008128614.tif 000004
【図３】
2008128614.tif 000005
【図４】
2008128614.tif 000006
【図５】
2008128614.tif 000007
【図６】
2008128614.tif 000008